(57)【要約】【課題】文書処理方法の提供。【解決手段】文書処理方法１００は、スキャナー装置中に応用し、その処理方法は、先ず、第一文書が初めて走査エリア２１８を通過後、インバーティングチャンネル２０６に到達する前に、第二文書はトランスミッティングチャンネル２０４に進入し、次に、第一文書が初めてインバーティングチャンネル２０６を通過する時、第二文書は初めて走査エリア２１８を通過し、続いて、第一文書が二度目に走査エリア２１８を通過後、インバーティングチャンネル２０６に到達する前に、第二文書は初めてインバーティングチャンネル２０６に進入し、さらに、第二文書が二度目に走査エリア２１８を通過後、インバーティングチャンネル２０６に到達する前に、第一文書は二度目にインバーティングチャンネル２０６に進入し、最後に第一文書が三度目に走査エリア２１８を通過後、下流アウトプット開口２２６に到達する前に、ダニ文書は二度目にインバーティングチャンネル２０６に進入する。【選択図】図１
2011184133.tif 000002
【特許請求の範囲】
【請求項１】
スキャナー装置に用いる文書処理方法において、前記スキャナー装置は、前記スキャナー装置に順番に進入する第一文書と第二文書を走査し、トランスミッティングチャンネル、走査エリア、インバーティングチャンネルを備え、
前記トランスミッティングチャンネルには、上流インプット開口と下流アウトプット開口に通じ、
前記走査エリアは、前記トランスミッティングチャンネル中に設置し、
前記インバーティングチャンネルの一端は、下流アウトプット開口に連接し、反対端は、前記上流インプット開口と前記走査エリアとの間に連接し、前記トランスミッティングチャンネルと、ループ状を形成し、
その処理の方法は以下を含み、
先ず、第一文書が前記上流インプット開口から、前記トランスミッティングチャンネル中へ進入し、前記走査エリアを初めて通過後、しかも前記インバーティングチャンネルに到達する前に、第二文書は、前記上流インプット開口から前記トランスミッティングチャンネルへと進入し、
次に、第一文書が、前記走査エリアを離れ、しかも初めて、前記インバーティングチャンネルを通過すると、第二文書は、前記トランスミッティングチャンネル中において、前記走査エリアを初めて通過し、
続いて、第一文書が、前記トランスミッティングチャンネル中において、二度目に、前記走査エリアを通過後、しかも前記インバーティングチャンネルに到達する前に、第二文書は、前記走査エリアを離れ、しかも初めて前記インバーティングチャンネルに進入し、
さらに、第二文書が、前記トランスミッティングチャンネル中において、前記走査エリアを二度目に通過後、しかも前記インバーティングチャンネルに到達する前に、第一文書は、前記走査エリアを離れ、しかも二度目に前記インバーティングチャンネルに進入し、
最後に、第一文書が、前記トランスミッティングチャンネル中において、三度目に、前記走査エリアを通過後、しかも下流アウトプット開口に到達する前に、第二文書は、二度目に、前記インバーティングチャンネルに進入することを特徴とする文書処理方法。
【請求項２】
前記文書処理方法はさらに、第三文書と第四文書を含み、
第二文書の後に、順番に、前記上流インプット開口から前記トランスミッティングチャンネルへと進入し、
第一文書が、前記下流アウトプット開口により前記トランスミッティングチャンネルから離れ、しかも第二文書が、前記トランスミッティングチャンネル中において、三度目に、前記走査エリアを通過後、下流アウトプット開口に到達する前に、第三文書は、前記上流インプット開口より前記トランスミッティングチャンネルに進入し、
第二文書が、前記下流アウトプット開口により前記トランスミッティングチャンネルから離れ、しかも第三文書が、前記トランスミッティングチャンネル中において、初めて、前記走査エリアを通過後、前記インバーティングチャンネルに到達する前に、第四文書は、前記上流インプット開口より前記トランスミッティングチャンネルに進入することを特徴とする請求項１に記載の文書処理方法。
【発明の詳細な説明】
【技術分野】
【０００１】
本発明は文書処理方法に関し、特に自動シートフィード装置の文書処理方法に関する。
【背景技術】
【０００２】
図２０〜４１に示すように、従来の自動シートフィード装置の文書処理方法において、自動シートフィード装置８００は、ハウジング８０２、トランスミッティングチャンネル８０４、インバーティングチャンネル８０６、フィードトレイ８０８、ピックアップローラー８１０、セパレートローラーユニット８１２、多数のトランスミッティングローラーユニット８１４、走査エリア８１６、イジェクトローラーユニット８１８、イジェクトトレイ８２０を備える。
【０００３】
トランスミッティングチャンネル８０４は、ハウジング８０２内に開設し、外部に通じる上流インプット開口８２２と下流アウトプット開口８２４を備える。インバーティングチャンネル８０６は、ハウジング８０２内に設置する。インバーティングチャンネル８０６の一端は、下流アウトプット開口８２４に連接し、反対端は、トランスミッティングチャンネル８０４中のセパレートローラーユニット８１２下流位置に連接する。インバーティングチャンネル８０６とトランスミッティングチャンネル８０４の一部分は、ループ状を形成する。
【０００４】
フィードトレイ８０８は、トランスミッティングチャンネル８０４の上流インプット開口８２２位置に設置し、処理を待つ文書Ｐ１、Ｐ２を載せるために用いる。ピックアップローラー８１０は、トランスミッティングチャンネル８０４の上流インプット開口８２２位置に設置し、重なった文書Ｐ１、Ｐ２の最上面の一枚の文書Ｐ１をピックアップするために用いる。セパレートローラーユニット８１２は、上流インプット開口８２２位置に設置し、ピックアップローラー８１０の下流に位置する。セパレートローラーユニット８１２には、セパレート主動ホイール８２６とセパレート受動ホイール８２８を設置する。これにより、重なった文書を分離し、文書Ｐ１、Ｐ２を順番に、トランスミッティングチャンネル８０４に導入する。実際の実施時には、セパレート受動ホイール８２８は、セパレート片に置換することができる。
【０００５】
多数のトランスミッティングローラーユニット８１４は、トランスミッティングチャンネル８０４とインバーティングチャンネル８０６の両側に、分散させて設置し、文書Ｐ１、Ｐ２を連動するために用いる。走査エリア８１６は、トランスミッティングチャンネル８０４の中段位置に設置し、文書Ｐ１、Ｐ２を走査するために用いる。イジェクトローラーユニット８１８は、トランスミッティングチャンネル８０４の上流インプット開口８２２位置に設置し、文書Ｐ１、Ｐ２をガイドし、トランスミッティングチャンネル８０４から出すために用いる。イジェクトトレイ８２０は、下流アウトプット開口８２４外に設置し、フィードトレイ８０８の真下に位置する。
【０００６】
従来の自動シートフィード装置の文書処理方法は、以下のステップを含む。
ステップ９０２：処理を待つ文書Ｐ１、Ｐ２を、フィードトレイ８０８上に重ねて置く(図２０参照)。
ステップ９０４：ピックアップローラー８１０とセパレートローラーユニット８１２は、それぞれ文書Ｐ１、Ｐ２をトランスミッティングチャンネル８０４内に送り込む(図２１参照)。
ステップ９０６：トランスミッティングローラーユニット８１４は、文書Ｐ１を、走査エリア８１６に送り入れる。この時、走査エリア８１６は、文書Ｐ１の正面を走査する(図２２参照)。
ステップ９０８：トランスミッティングローラーユニット８１４は、文書Ｐ１を、走査エリア８１６からイジェクトローラーユニット８１８へと送り出す。イジェクトローラーユニット８１８は、文書Ｐ１を、下流アウトプット開口８２４から、トランスミッティングチャンネル８０４へと退出させる。しかも、イジェクトローラーユニット８１８はまた、文書Ｐ１の末端を挟持する(図２３参照)。
ステップ９１０：イジェクトローラーユニット８１８は、文書Ｐ１の末端を挟持し、しかも反対方向に回転し、文書Ｐ１を、下流アウトプット開口８２４から、トランスミッティングチャンネル８０４へと導入する(図２４参照)。
ステップ９１２：イジェクトローラーユニット８１８は、反対方向への回転を持続し、文書Ｐ１をインバーティングチャンネル８０６に導入する。しかも、文書Ｐ１は、インバーティングチャンネル８０６内において、先端と末端が反対で、裏と表が反対の状態を呈する(図２５参照)。
ステップ９１４：トランスミッティングローラーユニット８１４は、文書Ｐ１を、インバーティングチャンネル８０６からトランスミッティングチャンネル８０４へと導入し、走査エリア８１６を通過させる。この時、走査エリア８１６は、文書Ｐ１の裏面を走査する(図２６参照)。
ステップ９１６：トランスミッティングローラーユニット８１４は、文書Ｐ１を走査エリア８１６から、イジェクトローラーユニット８１８へと導く。この時、ピックアップローラー８１０は、文書Ｐ２を、トランスミッティングチャンネル８０４内に導入し、セパレートローラーユニット８１２は、文書Ｐ２を挟持し、文書Ｐ２の継続前進を阻止する(図２７参照)。
ステップ９１８：イジェクトローラーユニット８１８は、文書Ｐ１の末端を挟持し、しかも反対方向へと回転し、文書Ｐ１を、下流アウトプット開口８２４から、トランスミッティングチャンネル８０４へと導入する。セパレートローラーユニット８１２は、文書Ｐ２の継続前進を引き続き阻止し、文書Ｐ１と文書Ｐ２が、トランスミッティングチャンネル８０４内で重なることを回避する(図２８参照)。
ステップ９２０：トランスミッティングローラーユニット８１４は、再び、文書Ｐ１を、インバーティングチャンネル８０６からトランスミッティングチャンネル８０４へと導入する。文書Ｐ１は、トランスミッティングチャンネル８０４内において、再び、先端と末端が反対で、裏と表が反対の状態を呈し、文書Ｐ１は、トランスミッティングチャンネル８０４に最初に進入した状態を回復する。トランスミッティングローラーユニット８１４は、文書Ｐ１を、走査エリア８１６へと継続して導入する。この時、走査エリア８１６は走査作業を停止する。セパレートローラーユニット８１２は、文書Ｐ２をトランスミッティングチャンネル８０４中へと導入する(図２９参照)。
ステップ９２２：トランスミッティングローラーユニット８１４は、文書Ｐ１を、走査エリア８１６からイジェクトローラーユニット８１８へと持ち出す。この時、文書Ｐ２は、トランスミッティングローラーユニット８１４により、走査エリア８１６へと導入される(図３０)。
ステップ９２４：イジェクトローラーユニット８１８は、文書Ｐ１を、下流アウトプット開口８２４からトランスミッティングチャンネル８０４へと導出する。文書Ｐ２は、トランスミッティングローラーユニット８１４により、走査エリア８１６へと導入される。この時、走査エリア８１６は、文書Ｐ２の正面を走査する(図３１参照)。
ステップ９２６：文書Ｐ１を、トランスミッティングチャンネル８０４から完全に退出させ、イジェクトトレイ８２０上に置く。この時、文書Ｐ１は両面の走査作業を完了している。トランスミッティングローラーユニット８１４は、文書Ｐ２を走査エリア８１６から、イジェクトローラーユニット８１８へと持ち出し、イジェクトローラーユニット８１８は、文書Ｐ２を、下流アウトプット開口８２４からトランスミッティングチャンネル８０４へと退出させる。しかも、イジェクトローラーユニット８１８は、文書Ｐ２の末端を挟持する(図３２参照)。
ステップ９２８：イジェクトローラーユニット８１８は、文書Ｐ２の末端を挟持し、しかも反対方向へと回転する。これにより、文書Ｐ２は、下流アウトプット開口８２４からトランスミッティングチャンネル８０４へと導入される(図３３参照)。
ステップ９３０：イジェクトローラーユニット８１８は、反対方向への回転を持続し、文書Ｐ２を、インバーティングチャンネル８０６へと導入する。しかも、文書Ｐ２は、インバーティングチャンネル８０６内において、先端と末端及び正面と裏面が反対の状態を呈する(図３４参照)。
ステップ９３２：トランスミッティングローラーユニット８１４は、文書Ｐ２をインバーティングチャンネル８０６からトランスミッティングチャンネル８０４へと導入し、走査エリア８１６を通過する。この時、走査エリア８１６は、文書Ｐ２の裏面を走査する(図３５参照)。
ステップ９３４：トランスミッティングローラーユニット８１４は、文書Ｐ２を走査エリア８１６からイジェクトローラーユニット８１８へと持ち出す。この時、ピックアップローラー８１０は、次の文書Ｐ３を、トランスミッティングチャンネル８０４内に導入し、セパレートローラーユニット８１２は、文書Ｐ３を挟持し、文書Ｐ３の継続前進を阻む(図３６参照)。
ステップ９３６：イジェクトローラーユニット８１８は、文書Ｐ２の末端を挟持し、しかも反対方向へと回転し、文書Ｐ２を、下流アウトプット開口８２４からトランスミッティングチャンネル８０４へと導入する。セパレートローラーユニット８１２は、文書Ｐ２の継続前進を持続して阻み、文書Ｐ３と文書Ｐ２とが、トランスミッティングチャンネル８０４内における重なりを回避する(図３７参照)。
ステップ９３８：トランスミッティングローラーユニット８１４は、再び、文書Ｐ２を、インバーティングチャンネル８０６からトランスミッティングチャンネル８０４へと導入する。文書Ｐ２は、トランスミッティングチャンネル８０４内において、再び、先端と末端が反対で、裏と表が反対の状態を呈し、文書Ｐ２は、トランスミッティングチャンネル８０４に最初に進入した状態を回復する。トランスミッティングローラーユニット８１４は、文書Ｐ２を、走査エリア８１６へと継続して導入する。この時、走査エリア８１６は走査作業を停止する。セパレートローラーユニット８１２は、文書Ｐ３をトランスミッティングチャンネル８０４中へと導入する(図３８参照)。
ステップ９４０：トランスミッティングローラーユニット８１４は、文書Ｐ２を、走査エリア８１６からイジェクトローラーユニット８１８へと持ち出す。この時、文書Ｐ３は、トランスミッティングローラーユニット８１４により、走査エリア８１６へと導入される(図３９)。
ステップ９４２：イジェクトローラーユニット８１８は、文書Ｐ２を、下流アウトプット開口８２４からトランスミッティングチャンネル８０４へと導出する。文書Ｐ３は、トランスミッティングローラーユニット８１４により、走査エリア８１６へと導入される。この時、走査エリア８１６は、文書Ｐ３の正面を走査する(図４０参照)。
ステップ９４４：文書Ｐ２を、トランスミッティングチャンネル８０４から完全に退出させ、イジェクトトレイ８２０上に置く。この時、文書Ｐ２は両面の走査作業を完了している。トランスミッティングローラーユニット８１４は、文書Ｐ３を走査エリア８１６から、イジェクトローラーユニット８１８へと持ち出し、イジェクトローラーユニット８１８は、文書Ｐ３を、下流アウトプット開口８２４からトランスミッティングチャンネル８０４へと退出させる。しかも、イジェクトローラーユニット８１８は、文書Ｐ３の末端を挟持する(図４１参照)。
【０００７】
上記したように、文書Ｐ３の後続作業は、上記のステップを繰り返すものである。上記したステップでは、文書Ｐ１、Ｐ２を２回反転させ、３回走査エリア８１６を通過させる必要があり、これがすなわち３Pass走査作業である。文書Ｐ１、Ｐ２は３Pass走査作業を経由後も、もとの重ねた順序を保持し、文書Ｐ１、Ｐ２は裏表が反対になることはない。上記した処理方法では、前の文書の正面走査、文書の反転、裏面走査、及び再度文書を反転というステップの完成を待った後、初めて次の文書をトランスミッティングチャンネル８０４内に導入し、走査作業を行うことができる。しかし、これでは待機時間があまりにも長く、効果的かつ迅速に大量の文書を処理することはできない。本発明は、従来の文書処理方法の上記した欠点に鑑みてなされたものである。
【発明の概要】
【発明が解決しようとする課題】
【０００８】
本発明が解決しようとする課題は、従来の技術に存在する欠点を解決することができ、待機時間を縮小でき、効果的かつ迅速に大量の文書を処理することができる文書処理方法を提供することである。
【課題を解決するための手段】
【０００９】
上記課題を解決するため、本発明は下記の文書処理方法を提供する。
文書処理方法は、
文書処理方法をスキャナー装置に応用し、該スキャナー装置は、該スキャナー装置に順番に進入する第一文書と第二文書を走査し、トランスミッティングチャンネル、走査エリア、インバーティングチャンネルを備え、
該トランスミッティングチャンネルには、上流インプット開口と下流アウトプット開口に通じ、
該走査エリアは、該トランスミッティングチャンネル中に設置し、
該インバーティングチャンネルの一端は、下流アウトプット開口に連接し、反対端は、該上流インプット開口と該走査エリアとの間に連接し、該トランスミッティングチャンネルと、ループ状を形成し、
その文書処理方法は以下を含み、
先ず、第一文書が該上流インプット開口から、該トランスミッティングチャンネル中へ進入し、該走査エリアを初めて通過後、しかも該インバーティングチャンネルに到達する前に、第二文書は、該上流インプット開口から該トランスミッティングチャンネルへと進入し、
次に、第一文書が、該走査エリアを離れ、しかも初めて、該インバーティングチャンネルを通過すると、第二文書は、該トランスミッティングチャンネル中において、該走査エリアを初めて通過し、
続いて、第一文書が、該トランスミッティングチャンネル中において、二度目に、該走査エリアを通過後、しかも該インバーティングチャンネルに到達する前に、第二文書は、該走査エリアを離れ、しかも初めて該インバーティングチャンネルに進入し、
さらに、第二文書が、該トランスミッティングチャンネル中において、該走査エリアを二度目に通過後、しかも該インバーティングチャンネルに到達する前に、第一文書は、該走査エリアを離れ、しかも二度目に該インバーティングチャンネルに進入し、
最後に、第一文書が、該トランスミッティングチャンネル中において、三度目に、該走査エリアを通過後、しかも下流アウトプット開口に到達する前に、第二文書は、二度目に、該インバーティングチャンネルに進入する。
【発明の効果】
【００１０】
本発明文書処理方法は、第一文書が初めて走査エリアを通過する時、第二文書は直ちにトランスミッティングチャンネル中に送られ、後続の処理が行われるため、本発明の文書処理方法は、２枚の文書を同時に処理でき、次の文書の待機時間を短縮することができ、文書処理の速度を加速でき、処理効率を高めることができる。
【図面の簡単な説明】
【００１１】
【図１】本発明文書処理方法をスキャナーに応用する様子の表示図である。
【図２】本発明文書処理方法をスキャナーに応用する様子の表示図である。
【図３】本発明文書処理方法をスキャナーに応用する様子の表示図である。
【図４】本発明文書処理方法をスキャナーに応用する様子の表示図である。
【図５】本発明文書処理方法をスキャナーに応用する様子の表示図である。
【図６】本発明文書処理方法をスキャナーに応用する様子の表示図である。
【図７】本発明文書処理方法をスキャナーに応用する様子の表示図である。
【図８】本発明文書処理方法をスキャナーに応用する様子の表示図である。
【図９】本発明文書処理方法をスキャナーに応用する様子の表示図である。
【図１０】本発明文書処理方法をスキャナーに応用する様子の表示図である。
【図１１】本発明文書処理方法をスキャナーに応用する様子の表示図である。
【図１２】本発明文書処理方法をスキャナーに応用する様子の表示図である。
【図１３】本発明文書処理方法をスキャナーに応用する様子の表示図である。
【図１４】本発明文書処理方法をスキャナーに応用する様子の表示図である。
【図１５】本発明文書処理方法をスキャナーに応用する様子の表示図である。
【図１６】本発明文書処理方法をスキャナーに応用する様子の表示図である。
【図１７】本発明文書処理方法をスキャナーに応用する様子の表示図である。
【図１８】本発明文書処理方法をスキャナーに応用する様子の表示図である。
【図１９】本発明文書処理方法をスキャナーに応用する様子の表示図である。
【図２０】従来の文書処理方法をスキャナーに応用する様子の表示図である。
【図２１】従来の文書処理方法をスキャナーに応用する様子の表示図である。
【図２２】従来の文書処理方法をスキャナーに応用する様子の表示図である。
【図２３】従来の文書処理方法をスキャナーに応用する様子の表示図である。
【図２４】従来の文書処理方法をスキャナーに応用する様子の表示図である。
【図２５】従来の文書処理方法をスキャナーに応用する様子の表示図である。
【図２６】従来の文書処理方法をスキャナーに応用する様子の表示図である。
【図２７】従来の文書処理方法をスキャナーに応用する様子の表示図である。
【図２８】従来の文書処理方法をスキャナーに応用する様子の表示図である。
【図２９】従来の文書処理方法をスキャナーに応用する様子の表示図である。
【図３０】従来の文書処理方法をスキャナーに応用する様子の表示図である。
【図３１】従来の文書処理方法をスキャナーに応用する様子の表示図である。
【図３２】従来の文書処理方法をスキャナーに応用する様子の表示図である。
【図３３】従来の文書処理方法をスキャナーに応用する様子の表示図である。
【図３４】従来の文書処理方法をスキャナーに応用する様子の表示図である。
【図３５】従来の文書処理方法をスキャナーに応用する様子の表示図である。
【図３６】従来の文書処理方法をスキャナーに応用する様子の表示図である。
【図３７】従来の文書処理方法をスキャナーに応用する様子の表示図である。
【図３８】従来の文書処理方法をスキャナーに応用する様子の表示図である。
【図３９】従来の文書処理方法をスキャナーに応用する様子の表示図である。
【図４０】従来の文書処理方法をスキャナーに応用する様子の表示図である。
【図４１】従来の文書処理方法をスキャナーに応用する様子の表示図である。
【発明を実施するための形態】
【００１２】
以下に図面を参照しながら本発明を実施するための最良の形態について詳細に説明する。
【実施例】
【００１３】
本発明において、文書処理方法１００は、自動シートフィード両面スキャナー２００中に応用する。具体的な実施時には、文書処理方法１００は、シートフィード両面コピー機、シートフィード両面スキャナーなどのオフィス用品中に応用する。
【００１４】
図１に示すように、自動シートフィード両面スキャナー２００は、ハウジング２０２、トランスミッティングチャンネル２０４、インバーティングチャンネル２０６、フィードトレイ２０８、ピックアップローラー２１０、セパレートローラー２１２、トランスミッティングチャンネルローラー２１４、インバーティングチャンネルローラー２１６、走査エリア２１８、イジェクトローラーユニット２２０、イジェクトトレイ２２２を備える。
【００１５】
トランスミッティングチャンネル２０４は、ハウジング２０２内に開設し、外部の上流インプット開口２２４と下流アウトプット開口２２６に通じる。インバーティングチャンネル２０６は、ハウジング２０２内に設置する。インバーティングチャンネル２０６の一端は、トランスミッティングチャンネル２０４の下流アウトプット開口２２６に連接し、反対端は、トランスミッティングチャンネル２０４に連接し、合流口Ｇを形成し、セパレートローラー２１２と走査エリア２１８の中間に位置する。本実施例中では、インバーティングチャンネル２０６の反対端は、セパレートローラー２１２の下流位置に連接し、インバーティングチャンネル２０６とトランスミッティングチャンネル２０４との一部分は、ループ状を形成する。
【００１６】
フィードトレイ２０８は、トランスミッティングチャンネル２０４の上流インプット開口２２４位置に設置し、処理を待つ文書Ｐ１、Ｐ２を載せるために用いる。ピックアップローラー２１０は、トランスミッティングチャンネル２０４の上流インプット開口２２４位置に設置し、重なった文書Ｐ１、Ｐ２の最上面の一枚の文書Ｐ１をピックアップするために用い、文書Ｐ１をトランスミッティングチャンネル２０４に導入する。セパレートローラー２１２は、上流インプット開口２２４位置に設置し、ピックアップローラー２１０の下流に位置する。セパレートローラー２１２には、イジェクト主動ホイール２２８とイジェクト受動ホイール２３０を設置する。これにより、重なった文書を分離し、文書Ｐ１、Ｐ２を順番に、トランスミッティングチャンネル２０４に導入する。実際の実施時には、イジェクト受動ホイール２３０は、セパレート片に置換することができる。
【００１７】
トランスミッティングチャンネルローラー２１４は、トランスミッティングチャンネル２０４の両側に、分散させて設置し、文書Ｐ１、Ｐ２を伝送するために用いる。インバーティングチャンネルローラー２１６は、インバーティングチャンネル２０６の中央位置に設置し、文書Ｐ１、Ｐ２を、下流アウトプット開口２２６からトランスミッティングチャンネル２０４の上流位置に送る。走査エリア２１８は、トランスミッティングチャンネル２０４の中段位置に設置し、文書Ｐ１、Ｐ２を走査するために用いる。イジェクトローラーユニット２２０は、トランスミッティングチャンネル２０４の下流インプット開口２２４位置に設置し、イジェクト主動ホイール２２８とイジェクト受動ホイール２３０を設置し、文書Ｐ１、Ｐ２をトランスミッティングチャンネル２０４に送り出す。イジェクトトレイ２２２は、下流インプット開口２２４外に設置し、フィードトレイ２０８の真下に位置する。
【００１８】
本発明の文書処理方法は、以下のステップを含む。
ステップ１０２：処理を待つ文書Ｐ１、Ｐ２を、フィードトレイ２０８上に重ねて置く(図１参照)。
ステップ１０４：ピックアップローラー２１０とセパレートローラー２１２は、それぞれ文書Ｐ１をトランスミッティングチャンネル２０４内に送り込む(図２参照)。
ステップ１０６：トランスミッティングチャンネルローラー２１４は、文書Ｐ１を、走査エリア２１８に送り入れる。この時、走査エリア２１８は、文書Ｐ１の正面を走査する(図３参照)。文書Ｐ１の末端は合流口Ｇを通過する時、ピックアップローラー２１０とセパレートローラー２１２は、それぞれ文書Ｐ２をトランスミッティングチャンネル２０４内に導入する。
ステップ１０８：図４に示すように、トランスミッティングチャンネルローラー２１４は、文書Ｐ１の伝送を続け、これにより文書Ｐ１は、走査エリア２１８を通過する。この時、文書Ｐ２は、合流口Ｇにおいて阻まれる。本実施例中では、セパレートローラー２１２は文書Ｐ２を挟持し、これにより文書Ｐ２は、合流口Ｇにおいて止められる。具体的な実施時には、合流口Ｇに最も近いトランスミッティングチャンネルローラー２１４は、回転或いは反対回転を停止し、これにより文書Ｐ２は、合流口Ｇにおいて阻まれる。
ステップ１１０：図５に示すように、トランスミッティングチャンネルローラー２１４は、文書Ｐ１をイジェクトローラーユニット２２０へと送り出す。イジェクトローラーユニット２２０は、文書Ｐ１を、下流インプット開口２２４位置から、トランスミッティングチャンネル２０４へと退出させる。文書Ｐ１の末端が、走査エリア２１８に送られると、文書Ｐ２はトランスミッティングチャンネル２０４において伝送を継続される。本実施例中では、セパレートローラー２１２は文書Ｐ２の伝送を持続し、これにより文書Ｐ２は、トランスミッティングチャンネル２０４の下流へと送られる。具体的な実施時には、合流口Ｇに最も近いトランスミッティングチャンネルローラー２１４は、文書Ｐ２の伝送を持続し、これにより文書Ｐ２は、トランスミッティングチャンネル２０４の下流に送られる。
ステップ１１２：図６に示すように、文書Ｐ１の末端が、イジェクトローラーユニット２２０に到達すると、イジェクトローラーユニット２２０は反対方向へと回転し、文書Ｐ１を下流インプット開口２２４からトランスミッティングチャンネル２０４へと導入し、文書Ｐ２は、走査エリア２１８へと伝送を持続される。
ステップ１１４：図７に示すように、イジェクトローラーユニット２２０は反対方向への回転を継続し、文書Ｐ１をインバーティングチャンネル２０６中のインバーティングチャンネルローラー２１６へと送り込む。文書Ｐ１は、インバーティングチャンネル２０６内において、先端と末端が反対で、裏と表が反対の状態を呈する。文書Ｐ１がインバーティングチャンネルローラー２１６を通過すると、イジェクトローラーユニット２２０のイジェクト主動ホイール２２８は下降し、イジェクト受動ホイール２３０から離れる(イジェクト主動ホイール２２８下方の矢印参照)。この時、文書Ｐ１は、インバーティングチャンネルローラー２１６だけを経由し、合流口Ｇ位置へと送られる。文書Ｐ２は、トランスミッティングチャンネルローラー２１４により、走査エリア２１８へと伝送され、イジェクトローラーユニット２２０へと前進する。
ステップ１１６：図８に示すように、文書Ｐ１は、インバーティングチャンネルローラー２１６により合流口Ｇへと送られ、文書Ｐ２の先端は、下流アウトプット開口２２６から、トランスミッティングチャンネル２０４へと退出される。イジェクト主動ホイール２２８は、下降し、イジェクト受動ホイール２３０から離れているため、文書Ｐ１と文書Ｐ２は、同時に下流アウトプット開口２２６を通過する。本実施例中では、文書Ｐ２は、トランスミッティングチャンネルローラー２１４に送られることによってのみ、下流アウトプット開口２２６へと送り出される。具体的な実施時には、イジェクト主動ホイール２２８は、反対方向回転から正方向回転へと変えることができ、こうして文書Ｐ２を連動し、文書Ｐ２は下流アウトプット開口２２６へと送り出される。
ステップ１１８：図９に示すように、文書Ｐ１が、イジェクトローラーユニット２２０を離れ、走査エリア２１８へと送られると、イジェクト主動ホイール２２８は、上昇し、イジェクト受動ホイール２３０に近づく。この時、イジェクトローラーユニット２２０は文書Ｐ２の末端を挟持し、反対方向へと回転し、文書Ｐ２は、下流インプット開口２２４からトランスミッティングチャンネル２０４へと導入される。
ステップ１２０：図１０に示すように、トランスミッティングチャンネルローラー２１４は、文書Ｐ１の伝送を持続し、これにより文書Ｐ１は、走査エリア２１８を通過する。この時、走査エリア２１８は、文書Ｐ１の裏面を走査する。文書Ｐ２がインバーティングチャンネルローラー２１６を通過すると、イジェクトローラーユニット２２０のイジェクト主動ホイール２２８は再度下降し、イジェクト受動ホイール２３０から離れる。この時、文書Ｐ２は、インバーティングチャンネルローラー２１６によってのみ、合流口Ｇ位置へと送られる。
ステップ１２２：図１１に示すように、文書Ｐ２はインバーティングチャンネルローラー２１６により合流口Ｇへと送られる。文書Ｐ１は、下流アウトプット開口２２６からトランスミッティングチャンネル２０４へと退出される。イジェクト主動ホイール２２８は下降し、イジェクト受動ホイール２３０から離れるため、文書Ｐ１と文書Ｐ２とは、下流アウトプット開口２２６を同時に通過することができる。本実施例中では、文書Ｐ１は、トランスミッティングチャンネルローラー２１４によってのみ下流アウトプット開口２２６へと送られる。具体的な実施時にはイジェクト主動ホイール２２８は、反対方向回転から正方向回転へと変えることができ、こうして文書Ｐ１を連動し、文書Ｐ１は下流アウトプット開口２２６へと送り出される。
ステップ１２４：図１２に示すように、文書Ｐ２がイジェクトローラーユニット２２０を完全に離れ、走査エリア２１８へと送られると、イジェクト主動ホイール２２８は上昇し、イジェクト受動ホイール２３０に近づく。この時、イジェクトローラーユニット２２０は文書Ｐ１の末端を挟持し、反対方向へと回転し、文書Ｐ１を下流インプット開口２２４からトランスミッティングチャンネル２０４へと導入する。
ステップ１２６：図１３に示すように、トランスミッティングチャンネルローラー２１４は、文書Ｐ２の伝送を持続し、これにより、文書Ｐ２は、走査エリア２１８を通過する。この時、走査エリア２１８は文書Ｐ２の裏面を走査する。文書Ｐ１がインバーティングチャンネルローラー２１６を通過すると、イジェクトローラーユニット２２０のイジェクト主動ホイール２２８は再度下降し、イジェクト受動ホイール２３０から離れる。この時、文書Ｐ１は、インバーティングチャンネルローラー２１６によってのみ、合流口Ｇ位置へと送られる。この時、文書Ｐ１は再度反転し、最初にトランスミッティングチャンネル２０４に進入した時の状態を回復する。
ステップ１２８：図１４に示すように、文書Ｐ１がイジェクトローラーユニット２２０を完全に離れ、走査エリア２１８へと送られると、イジェクト主動ホイール２２８は上昇し、イジェクト受動ホイール２３０に近づく。この時、イジェクトローラーユニット２２０は文書Ｐ２を挟持し、反対方向へと回転し、これにより文書Ｐ２は、下流インプット開口２２４から、トランスミッティングチャンネル２０４へと導入される。
ステップ１３０：図１５に示すように、トランスミッティングチャンネルローラー２１４は、文書Ｐ１の伝送を持続し、これにより文書Ｐ１は走査エリア２１８を通過する。この時、走査エリア２１８は文書Ｐ１の走査を停止し、文書Ｐ２が、インバーティングチャンネルローラー２１６を通過すると、イジェクトローラーユニット２２０のイジェクト主動ホイール２２８は再度下降し、イジェクト受動ホイール２３０から離れる。この時、文書Ｐ２は、インバーティングチャンネルローラー２１６によってのみ、合流口Ｇ位置へと送られる。この時、文書Ｐ２は、再度反転し、最初にトランスミッティングチャンネル２０４に進入した時の状態を回復する。
ステップ１３２：図１６に示すように、文書Ｐ２は、トランスミッティングチャンネルローラー２１４によってのみ、インバーティングチャンネル２０６からトランスミッティングチャンネル２０４へと送られ、文書Ｐ１は、走査エリア２１８を通過後、下流アウトプット開口２２６へと送られる。文書Ｐ１の末端が、走査エリア２１８に到達すると、ピックアップローラー２１０とセパレートローラー２１２は、それぞれ文書Ｐ３を、トランスミッティングチャンネル２０４内へと導入する。イジェクト主動ホイール２２８は下降し、イジェクト受動ホイール２３０から離れるため、文書Ｐ１と文書Ｐ２は、下流アウトプット開口２２６を同時に通過することができる。
ステップ１３４：図１７に示すように、文書Ｐ２がイジェクトローラーユニット２２０を完全に離れ、走査エリア２１８へと送られると、イジェクト主動ホイール２２８は上昇し、イジェクト受動ホイール２３０に近づく。この時、イジェクトローラーユニット２２０は、文書Ｐ１の末端を挟持し、正方向へと回転し、これにより文書Ｐ１は、下流インプット開口２２４からトランスミッティングチャンネル２０４へと送り出され、文書Ｐ１は、送り出された後、イジェクトトレイ２２２に置かれる。この時、ピックアップローラー２１０とセパレートローラー２１２は、それぞれ文書Ｐ３を、フィードトレイ２０８から上流インプット開口２２４を通過させ、トランスミッティングチャンネル２０４へと送り込む。
ステップ１３６：図１８に示すように、文書Ｐ２は、トランスミッティングチャンネル２０４中において、伝送を持続され、走査エリア２１８を通過する。走査エリア２１８は、走査作業を停止し、セパレートローラー２１２は、文書Ｐ３をトランスミッティングチャンネル２０４中へと送り続ける。
ステップ１３８：図１９に示すように、文書Ｐ２は、走査エリア２１８から、イジェクトローラーユニット２２０へと送られ、イジェクトローラーユニット２２０は、文書Ｐ２を、トランスミッティングチャンネル２０４へと送り出す。文書Ｐ２は、送り出された後、イジェクトトレイ２２２に置かれ、文書Ｐ１上に重ねて置かれる。トランスミッティングチャンネルローラー２１４は、文書Ｐ３を走査エリア２１８へと伝送し、ピックアップローラー２１０とセパレートローラー２１２は、それぞれ文書Ｐ４を、トランスミッティングチャンネル２０４内へと導入する。
文書Ｐ３、Ｐ４の後続の作業は、文書Ｐ１、Ｐ２と相同である。
【００１９】
上記したように、本発明文書処理方法１００は、文書Ｐ１が初めて走査エリア２１８を通過する時、次の文書Ｐ２は、直ちに、トランスミッティングチャンネル２０４中へと送り込まれ、後続の処理を進行する。文書Ｐ１の走査が完成し、イジェクトローラーユニット２２０により、イジェクトトレイ２２２へと送られると、次の文書Ｐ２は既に走査を完成され、走査エリア２１８を通過する。この時、次の文書Ｐ３は、直ちに、トランスミッティングチャンネル２０４中へと送り込まれ、後続の処理を進行する。文書Ｐ２がイジェクトトレイ２２２へと送られると、文書Ｐ３は走査エリア２１８に送られ、走査が行われる。この時、次の文書Ｐ４は、直ちに、トランスミッティングチャンネル２０４中へと送り込まれ、後続の処理を進行する。こうして、本発明文書処理方法１００は、同時に２枚の文書Ｐ１、Ｐ２、或いはＰ３、Ｐ４を処理することができ、次の文書Ｐ２、Ｐ４の待機時間を短縮することができるため、効果的かつ迅速に文書処理を行うことができる。
【００２０】
上記の本発明名称と内容は、本発明技術内容の説明に用いたのみで、本発明を限定するものではない。本発明の精神に基づく等価応用或いは部品（構造）の転換、置換、数量の増減はすべて、本発明の保護範囲に含むものとする。
【産業上の利用可能性】
【００２１】
本発明は特許請求の要件である新規性を備え、従来の同類製品に比べ十分な進歩を有し、実用性が高く、社会のニーズに合致しており、産業上の利用価値は非常に大きい。
【符号の説明】
【００２２】
２００  シートフィード両面スキャナー
２０２  ハウジング
２０４  トランスミッティングチャンネル
２０６  インバーティングチャンネル
２０８  フィードトレイ
２１０  ピックアップローラー
２１２  セパレートローラー
２１４  トランスミッティングチャンネルローラー
２１６  インバーティングチャンネルローラー
２１８  走査エリア
２２０  イジェクトローラーユニット
２２２  イジェクトトレイ
２２４  インプット開口
２２６  アウトプット開口
２２８  イジェクト主動ホイール
２３０  イジェクト受動ホイール
Ｇ  合流口
Ｐ１、Ｐ２、Ｐ３、Ｐ４  文書
８００  自動シートフィード装置
８０２  ハウジング
８０４  トランスミッティングチャンネル
８０６  インバーティングチャンネル
８０８  フィードトレイ
８１０  ピックアップローラー
８１２  セパレートローラーユニット
８１４  トランスミッティングローラーユニット
８１６  走査エリア
８１８  イジェクトローラーユニット
８２０  イジェクトトレイ
８２２  インプット開口
８２４  アウトプット開口
８２６  セパレート主動ホイール
８２８  セパレート受動ホイール
【図１】
2011184133.tif 000003
【図２】
2011184133.tif 000004
【図３】
2011184133.tif 000005
【図４】
2011184133.tif 000006
【図５】
2011184133.tif 000007
【図６】
2011184133.tif 000008
【図７】
2011184133.tif 000009
【図８】
2011184133.tif 000010
【図９】
2011184133.tif 000011
【図１０】
2011184133.tif 000012
【図１１】
2011184133.tif 000013
【図１２】
2011184133.tif 000014
【図１３】
2011184133.tif 000015
【図１４】
2011184133.tif 000016
【図１５】
2011184133.tif 000017
【図１６】
2011184133.tif 000018
【図１７】
2011184133.tif 000019
【図１８】
2011184133.tif 000020
【図１９】
2011184133.tif 000021
【図２０】
2011184133.tif 000022
【図２１】
2011184133.tif 000023
【図２２】
2011184133.tif 000024
【図２３】
2011184133.tif 000025
【図２４】
2011184133.tif 000026
【図２５】
2011184133.tif 000027
【図２６】
2011184133.tif 000028
【図２７】
2011184133.tif 000029
【図２８】
2011184133.tif 000030
【図２９】
2011184133.tif 000031
【図３０】
2011184133.tif 000032
【図３１】
2011184133.tif 000033
【図３２】
2011184133.tif 000034
【図３３】
2011184133.tif 000035
【図３４】
2011184133.tif 000036
【図３５】
2011184133.tif 000037
【図３６】
2011184133.tif 000038
【図３７】
2011184133.tif 000039
【図３８】
2011184133.tif 000040
【図３９】
2011184133.tif 000041
【図４０】
2011184133.tif 000042
【図４１】
2011184133.tif 000043